(57)【特許請求の範囲】
【請求項１】
ムーブメントを囲い込むことができるケース（１）に取付けられた二つの腕輪部分（６、７）を備え、その腕輪部分の各々は、互いに順次関節的に連結された一連のリンク（８）から形成され、そのリンクは各々、柔軟な連結材（１０）が貫通してそれらリンクを共に保持し各腕輪部分をケースに取付ける少なくとも一つの穴（１３、１５）を備えている腕時計であって、少なくとも一方の腕輪部分の端（２）の一方は、連結材（１０）が固定装置（１４、１６）により固定されている特殊リンク（３）を備え、その特殊リンク（３）には固定装置の後に形成された窪み（４）が設けられ、連結材（１０）の一定の余剰部分（１１、１２）をその窪みに予備的に保持することができることを特徴とする腕時計。
【請求項２】
特殊リンク（３）の窪み（４）は、リンク（８）の幅（Ｃ）に少なくとも等しい連結材（１０）の余剰部分（１１、１２）の長さを予備的に取っておくのに十分な容積を備えていることを特徴とする請求項１に記載の腕時計。
【請求項３】
特殊リンク（３）の窪み（４）は、カバー（１７）により閉じられていることを特徴とする請求項１に記載の腕時計。
【請求項４】
リンク（８）は各々、各々が柔軟な連結材（１０）に適合する二つの穴（１３、１５）を備えており、特殊リンク（３）の窪み（４）は、二つの柔軟な連結材（１０）の余剰部分（１１、１２）に適合するよう設置されていることを特徴とする請求項１に記載の腕時計。
【請求項５】
特殊リンク（３）は、留め金に固定するための手段（１９）を備えていることを特徴とする請求項１に記載の腕時計。
【請求項６】
柔軟な連結材（１０）を特殊リンク（３）に固定する装置は、前記特殊リンクにねじ込まれて柔軟な連結材に向かって押すことができるスタッドボルトであることを特徴とする請求項１に記載の腕時計。
【発明の詳細な説明】
【０００１】
【発明の属する技術分野】
本発明は、ムーブメントを囲い込むことができるケースに取付けられた二つの腕輪部分を備え、その腕輪部分の各々は、互いに順次関節的に連結された一連のリンクから形成され、このリンクが各々、それらリンクを共に保持し且つ各部分をケースに取付けるために柔軟な連結材が貫通する少なくとも一つの穴を備えている腕時計に関する。
【０００２】
【従来の技術】
腕輪のリンクを共に取付け且つ腕輪を時計のケースに取付けるのにも使用される連結材は、幾つかの文書に開示されている。
【０００３】
互いに順次間接的に連結されている複数の要素を備えた腕時計は、文書ＥＰ−Ａ−０１６７８９１に開示されている。これら要素の一つは時計を支持し、他の要素は、腕輪のリンクを構成している。要素は端と端とを連結して容器で覆われ、要素の各々に形成され腕時計の長手軸の両側に設置された溝を貫通する二つの柔軟な非突出連結材により共に保持されている。腕時計はまた、腕輪の各端に、連結材を固定するための手段を備えた端部を備えている。要素を炭素繊維の詰まった合成材料から作ることができ、連結材を黒鉛を含浸した合成材料から作ることができる。この構造では、連結材の各々は、腕輪部分の一つの端に固定され、第１の部分を通過し、次にケースの中間部分を、最後に第２の部分を通過してこの第２の部分の端に固定される。連結材を端部に固定する手段は、腕輪部分にねじ込まれ、これを固定するために連結材に向かって押す小ねじから構成されていることが注目される。ワイヤはそれを固定してから切断されるので、連結材全体を変更し、長い方のものを選択するということをしないで一つ以上のリンクを腕輪に追加することはもはや不可能である。
【０００４】
文書ＣＨ−Ａ−４９０８２７も、リンクを互いに取付け、腕輪部分に取付けてそれにより時計のケースに取り付けるのに連結材を使用している。ここで、柔軟ケーブルが一つの腕輪部分の端部から、この部分に沿って時計のケースの二つの角（つの）を接続する関節棒まで延び、棒の内側を通過し、次に同じ腕輪部分に沿って戻り、最後に同じ端部に固定される。この構造は、連結材の端を反対に折り曲げ顎の間に掴んで連結材をこの端部に固定する端部を備えている。この文書は、このとき腕輪の長さを変更しやすいと述べている。これは、連結材の余剰部分を切断するので、腕輪を短くする時にあてはまることで、予備の長さが無いため明らかに腕輪を長くすることは不可能である。それで、前の例の場合のように、連結材全体を変更することが必要である。
【０００５】
実用新案ＤＥ−Ｇ−８５３４１１５．０は、凹んだ側面を有し、横穴を備えたリンクから形成された腕時計を開示している。この時計はまた、リンクの凹んだ側面に入れられた円形断面の棒を備えている。ケーブルがこれらリンクおよび棒に設けられた穴を貫通している。ケーブルはＵ形であり、端は、小ねじにより、時計の中間部分に保持されている。この構造は、これまで説明したもの以上に、連結材全体を変更しないでは腕輪を長くすることができない。
【０００６】
【発明が解決しようとする課題】
したがって、本発明の腕時計は、リンクが連結材により互いに取付けられている腕輪に、連結材を変更する必要なしにこの腕輪を長くすることができる装置を提案するものである。
【０００７】
【課題を解決するための手段】
したがって本発明は、少なくとも一つの腕輪部分の端の一方が固定装置を用いて連結材を固定できる特殊リンクを備え、この特殊リンクに固定装置の後に窪みを設け、連結材の一定の余剰部分を前記窪みに予備的に保持できることを特徴としている。
【０００８】
このような構成の長所および利益を次に、下記の一実施形態の説明および非限定的例によりこれを図解する図面の援助を得て詳細に説明する。
【０００９】
【発明の実施の形態】
本発明の腕時計を図１に、或る程度全体的に、斜視図で図示してある。図１はケース１に取付けられた二つの腕輪部分６、７を示している。このケースは、時計のムーブメントを既知の仕方で封入している。腕輪の部分６、７の各々は、互いに順次関節的に連結された一連のリンク８から形成されている。ここで関節は二つのリンク８の間に挿入された円柱状棒９を備えている。そのため、リンク８は棒９をリンク８の間に入れることができるようにする凹んだ側面を有している。しかし棒の使用は必ずしも必要ではなく、たとえば文書ＣＨ−Ａ−４６７５９８の例に見られるように、リンクの側面に直接作られた溝と突起とのかみ合わせによりリンクを互いに直接関節的に連結することができることが注目される。リンク８は各々、図１の腕輪部分７の端に見えるように少なくとも一つの穴１３、１５を備えている。柔軟連結材１０は、リンクを共に保持して各腕輪部分６、７をケース１に取付けるが、この穴を通過している。腕輪が、図１の場合のように接続棒９を備えていれば、これらの棒にも連結材を通すための穴が設けられるのは言うまでもない。単独連結材１０が説明した機能を満たすのに十分であれば、図１の腕時計は、とりわけ安全のために二つの連結材を備えている。
【００１０】
図１に示すように、本発明は、少なくとも一つの腕輪部分６、７の端の一方（ここでは端２）が特殊リンク３を備えていることを特徴としている。連結材１０は、今後更に詳細に説明する固定装置１４、１６により、この特殊リンク３に固定されている。特殊リンク３は、固定装置１４、１６の後に設けられた窪み４をも備えている。連結材１０の一定の余剰部分（１１、１２）を、今後図２から図４までを考察することによりわかるように、この窪み４に予備的に保持することができる。
【００１１】
図２は、図１の腕輪部分６の端に取付けられた特殊リンク３の拡大図である。この特殊リンク３は、穴１３、１５でそこを通過する連結材１０により腕輪部分６に取付けられている。図２の左にある連結材１０は、固定装置１６によりリンク３に固定され、右にある連結材１０は、固定装置１４によりリンク３に固定されている。図４の断面に見られるように、固定装置１６は、特殊リンク３にねじ込まれるスタッドボルトである。このスタッドボルトの端は、連結材１０に向かって押し込まれ、したがって連結材１０をリンク３に固定する。同じことが固定装置１４についても言える。
【００１２】
図２はまた、特殊リンク３の中に作られた窪み４を詳細に示している。右連結材１０の一定の余剰部分１１および左連結材１０の一定の余剰部分１２は、この窪み４の中に予備的に保持されている。腕輪が単独連結材１０を備えていれば、窪み４は連結材の単独余剰部分だけを収容することは明らかである。
【００１３】
窪み４は、リンク８の幅Ｃに少なくとも等しい連結材１０の余剰部分１１、１２の長さを予備的に保持するのに十分な容積を備えなければならないことが理解される（図１を参照）。したがって、リンク８を腕輪部分６に追加しなければならない場合、連結材１０の十分な予備が存在することになり、短か過ぎる連結材１０全体を長い連結材と変更する必要がなくなる。この延長を行なうために、スタッドボルト１４および１６をねじ戻し、余分の連結材１１および１２を特殊リンク３から取り外し、新しいリンク８を連結材に差し込んで、連結材１０を穴１３、１５によりリンク３に再び挿入し、スタッドボルト１４および１６を再びねじ込むことによりその端を固定する。この特殊リンク３を設けた結果、連結材全体を変更する必要がなくなる。したがって、腕時計の販売の際、その腕輪は最も大衆的な平均的長さを有していることになる。着用者に従って、一つ以上のリンク８を取り外して余剰連結材１０をリンク３の窪み４に予備的に保持することにより、腕輪を短くするか、または、窪み４に存在する連結材１０の予備を使用して一つ以上のリンク８を追加することにより、腕輪を長くするかしなければならない。
【００１４】
図１は、腕時計の単一の特殊リンク３を示す。しかし腕輪部分７の右端に第２のものを設けることができる。
【００１５】
特殊リンク３は棒を収容できる穴２０を有する蝶番ピン１９から成る留め金と一体とすることができ、または、同様の留め金に適当な手段により固定することもできる。
【００１６】
特殊リンク３の窪み４を図２に示すカバー１７により閉じることができる。このカバーは窪み４の肩２１に載っている。カバーを前記窪みにスナップ嵌合することができる。それを取り外すためには、円形開口２２を設け、そこへの尖った工具の挿入によるカバーの取り外しを可能とする。
【図面の簡単な説明】
【図１】  腕時計の斜視図であり、本発明実施形態による特殊リンクを示している。
【図２】  本発明による特殊リンクの斜視図である。
【図３】  図２の線III−IIIで切った断面図である。
【図４】  図３の線IV−IVで切った断面図である。
【符号の説明】
１  ケース
３  特殊リンク
４  窪み
６  腕輪部分
７  腕輪部分
８  リンク
１０  連結材
１１、１２  余剰部分
１３、１５  穴
１４、１６  固定装置
【図１】
0004068245.tif 000002
【図２】
0004068245.tif 000003
【図３】
0004068245.tif 000004
【図４】
0004068245.tif 000005